(57)【要約】【課題】花を供えた状態でも、雨水が溜まるのを防ぐことかできる造花付花立て用蓋を提供する。【解決手段】蓋本体１１が、それぞれ花立て１の開口１ａを塞ぐよう、上下反対側に設けられた第１栓部２３と第２栓部２４とを有している。造花１２が、第１栓部２３で花立て１の開口１ａを塞ぐとき、上方に伸びるよう第２栓部２４に設けられ、第２栓部２４で花立て１の開口１ａを塞ぐとき、花立て１の内部に収納可能になっている。束ねリング１３が、造花１２の複数の茎を通し、各茎の長さ方向に沿って移動させて各茎を束ねることができるようになっている。【選択図】図１
0003143452.tif 000002
【実用新案登録請求の範囲】
【請求項１】
墓用の花立てに取り付けて使用される造花付花立て用蓋であって、
蓋本体と造花とを有し、
前記蓋本体は前記開口をそれぞれ塞ぐことが可能な第１栓部と第２栓部とを互いに反対側に有し、
前記造花は、前記第１栓部で前記開口を塞ぐとき前記花立てから突出し、前記第２栓部で前記開口を塞ぐとき前記花立ての内部に収納されるよう前記第２栓部に設けられていることを、
特徴とする造花付き花立て用蓋。
【請求項２】
前記造花は複数の茎を有し、各茎を通し、各茎の長さ方向に沿って移動させて各茎を束ねることが可能な束ねリングを有することを、特徴とする請求項１記載の造花付花立て用蓋。
【考案の詳細な説明】
【技術分野】
【０００１】
本考案は、造花付花立て用蓋に関する。
【背景技術】
【０００２】
一般的に、墓には花立てが設けられており、墓参りの際に花立てに生花を供える習慣がある。しかし、従来の花立ては、使用しないとき開口に雨水などが溜まりやすく、その雨水が腐って悪臭を発したり、雨水にボウフラがわいて蚊の発生源になったりするという問題があった。そこで、この問題を解決するために、雨水などが入らないよう、開閉蓋を取り付けた花立てが提案されている（例えば、特許文献１参照）
また、花立てには、造花が供えられることもある。
【０００３】
【特許文献１】特開平８−２０９９７８号公報
【考案の開示】
【考案が解決しようとする課題】
【０００４】
しかしながら、特許文献１記載の開閉蓋を取り付けた花立てを使用したとしても、墓参りが済んだ後、花立てに供えた花をすぐに回収せずに、開閉蓋を開けて花を供えたままにしておけば、雨水などが溜まって、悪臭や蚊の発生源になってしまう。このため、悪臭や蚊の発生源になるのを防止するという課題を十分に解決することはできなかった。
【０００５】
本考案は、このような課題に着目してなされたもので、花を供えた状態でも花立てに雨水が溜まるのを防ぐことかできる造花付花立て用蓋を提供することを目的としている。
【課題を解決するための手段】
【０００６】
上記目的を達成するために、本考案に係る造花付花立て用蓋は、墓用の花立てに取り付けて使用される造花付花立て用蓋であって、蓋本体と造花とを有し、前記蓋本体は前記開口をそれぞれ塞ぐことが可能な第１栓部と第２栓部とを互いに反対側に有し、前記造花は、前記第１栓部で前記開口を塞ぐとき前記花立てから突出し、前記第２栓部で前記開口を塞ぐとき前記花立ての内部に収納されるよう前記第２栓部に設けられていることを、特徴とする。
【０００７】
本考案に係る造花付花立て用蓋は、墓参りなどのとき、第１栓部で花立ての開口を塞ぐよう蓋本体を取り付けることにより、第２栓部に設けられた造花を飾ることができる。また、造花を飾らないときには、蓋本体を反対にして、開口から花立ての内部に造花を収納し、第２栓部で花立ての開口を塞ぐ。このように、造花を供えた状態であっても、供えていない状態であっても、蓋本体により花立ての開口を塞ぐことができ、花立ての内部に雨水等が溜まるのを防ぐことができる。このため、花立ての内部に溜まった雨水が腐って悪臭を発したり、その雨水にボウフラがわいて蚊の発生源になったりするのを防ぐことかできる。
【０００８】
造花を使用しているため、花立てに供えたままでも、花立ての内部に収納したままでも、枯れたり腐ったりすることがない。なお、蓋本体を花立てから外して、花立てに生花や他の造花を供えてもよい。墓に花立ての開口と同じ径の湯飲み茶碗を置いておけば、花立てから外した蓋本体の第１栓部を湯飲み茶碗に嵌めて、湯飲み茶碗に造花を供えることもできる。
【０００９】
本考案に係る造花付花立て用蓋は、前記造花は複数の茎を有し、各茎を通し、各茎の長さ方向に沿って移動させて各茎を束ねることが可能な束ねリングを有することが好ましい。この場合、造花を花立てに収納するとき、束ねリングを造花の先端側に移動させて、各茎を束ね、造花を収納しやすくすることができる。造花を供えるときには、束ねリングを造花の根元側に移動させて茎を広げ、造花を見栄えよくすることができる。
【考案の効果】
【００１０】
本考案によれば、花を供えた状態でも、雨水が溜まるのを防ぐことかできる造花付花立て用蓋を提供することができる。
【考案を実施するための最良の形態】
【００１１】
以下、図面に基づき、本考案の実施の形態について説明する。
図１は、本考案の実施の形態の造花付花立て用蓋を示している。
図１に示すように、造花付花立て用蓋１０は、墓用の花立て１に取り付けて使用され、蓋本体１１と造花１２と束ねリング１３とを有している。
【００１２】
花立て１は、ステンレス製で、底面を有する円筒形状を成している。花立て１は、底面と反対側の端部に円形の開口１ａを有している。花立て１は、開口１ａの周縁部１ｂが、開口１ａの外側から下方に曲げられて滑らかな凸形状に形成されている。花立て１は、墓の花立台２の上面に設けられた円柱状の専用の挿入孔２ａに、開口１ａが上向きになるよう着脱可能に挿入されている。花立て１は、周縁部１ｂが花立台２の上面の挿入孔２ａの周縁に引っ掛かり、周縁部１ｂが花立台２の上面より突出するよう取り付けられている。なお、具体的な一例では、花立て１は、深さが１６〜２５ｃｍで、開口１ａの径が５８〜６４ｃｍである。
【００１３】
図１に示すように、蓋本体１１は、所定の高さを有する円柱形状を成し、花立て１の開口１ａの径とほぼ同じ径を有している。蓋本体１１は、側面の中央に突出した鍔部２１を周方向に沿って有している。鍔部２１は、突出した先端の両側に、互いに反対向きの１対の係合面２２を有している。蓋本体１１は、鍔部２１より一端側の第１栓部２３と、鍔部２１より他端側の第２栓部２４とを有している。第１栓部２３および第２栓部２４は、それぞれ花立て１の開口１ａを塞ぐよう蓋本体１１の上下反対側に設けられている。蓋本体１１は、それぞれ第１栓部２３または第２栓部２４で花立て１の開口１ａに取り付けられたとき、鍔部２１が花立て１の周縁部１ｂに係合するよう、各係合面２２が花立て１の周縁部１ｂの形状に沿った凹形状に形成されている。
【００１４】
造花１２は、複数種類の花を模したものから成り、複数の茎を有している。造花１２は、根元で蓋本体１１の第２栓部２４に取り付けられている。造花１２は、第１栓部２３で花立て１の開口１ａを塞ぐとき、複数の花の茎がある程度広がって、上方に伸びるよう第２栓部２４に取り付けられている。造花１２は、花立て１の深さより短く、第２栓部２４で花立て１の開口１ａを塞ぐとき、花立て１の底面に当たらずに、花立て１の内部に収納可能になっている。
【００１５】
束ねリング１３は、ゴム製で、内側に造花１２の各茎を通した状態で、造花１２の根元付近に設けられている。束ねリング１３は、造花１２の長さ方向に沿って移動させて各茎を束ねることが可能となっている。束ねリング１３は、造花１２の長さ方向に沿って移動させたとき、造花１２の水平方向に広がるのを制限できる径を有している。
【００１６】
次に、作用について説明する。
造花付花立て用蓋１０は、墓参りなどのとき、図１（ａ）に示すように、第１栓部２３で花立て１の開口１ａを塞ぐよう蓋本体１１を取り付けることにより、第２栓部２４に設けられた造花１２を飾ることができる。また、造花１２を飾らないときには、図１（ｂ）に示すように、蓋本体１１を上下逆にして、開口１ａから花立て１の内部に造花１２を収納し、第２栓部２４で花立て１の開口１ａを塞ぐ。このように、造花１２を供えたままの状態であっても、供えていない状態であっても、蓋本体１１により花立て１の開口１ａを塞ぐことができ、花立て１の内部に雨水等が溜まるのを防ぐことができる。このため、花立て１の内部に雨水が腐って悪臭を発したり、その雨水にボウフラがわいて蚊の発生源になったりするのを防ぐことかできる。
【００１７】
造花付花立て用蓋１０は、造花１２を使用しているため、花立てに供えたままでも、花立て１の内部に収納したままでも、枯れたり腐ったりすることがない。造花１２を花立て１に収納するとき、束ねリング１３を造花１２の先端側に移動させて、各茎を束ね、造花１２が横に広がらないようにして、造花１２を収納しやすくすることができる。造花１２を供えるときには、束ねリング１３を造花１２の根元側に移動させて茎を広げ、造花１２を見栄えよくすることができる。
【図面の簡単な説明】
【００１８】
【図１】本考案の実施の形態の造花付花立て用蓋の、（ａ）造花を供えた使用状態を示す側面図、（ｂ）造花を収納した使用状態を示す側面図である。
【符号の説明】
【００１９】
１  花立て
１ａ  開口
１ｂ  周縁部
２  花立台
２ａ  挿入孔
１０  造花付花立て用蓋
１１  蓋本体
１２  造花
１３  束ねリング
２１  鍔部
２２  係合面
２３  第１栓部
２４  第２栓部
【図１】
0003143452.tif 000003